(57)【要約】    【課題】  熟練した作業者でなくても短時間で確実に犬釘を枕木に打ち込むことができる犬釘の打ち込み用冶具を提供する。    【解決手段】  犬釘５を打ち込み装置１０の打撃体１１により打撃して枕木６に打ち込み、レール７を枕木６に固定する際に用いられる犬釘の打ち込み用冶具１であって、枕木６に差し込まれた犬釘５に嵌め込まれる筒状の金属製ガイド筒２と、枕木６の上面に載せられ、枕木６の長さ方向に延びる金属板からなり、ガイド筒２を上下方向に起立させ姿勢で先端部がガイド筒２に固定された足押さえプレート４と、を有し、ガイド筒２はガイド筒２の下端が枕木６の上面よりも上方に位置するように４足押えプレートに固定される。【選択図】    図１
0003113814.tif 000002
【実用新案登録請求の範囲】
【請求項１】
犬釘を打ち込み装置の打撃体により打撃して枕木に打ち込み、レールを該枕木に固定する際に用いられる犬釘の打ち込み用冶具であって、
前記枕木に差し込まれた犬釘に嵌め込まれる筒状の金属製ガイド筒と、
前記枕木の上面に載せられ、該枕木の長さ方向に延びる金属板からなり、前記ガイド筒を上下方向に起立させ姿勢で先端部が前記ガイド筒に固定された足押さえプレートと、
を有し、前記ガイド筒は前記ガイド筒の下端が前記枕木の上面よりも上方に位置するように前記足押えプレートに固定されていることを特徴とする犬釘の打ち込み用冶具。
【請求項２】
前記足押えプレートを側面略L字形状に形成し、該足押えプレートの上方に延びた部分に前記ガイド筒を固定したことを特徴とする請求項１に記載の犬釘の打ち込み用冶具。
【請求項３】
前記足押えプレートを側面略クランク形状に形成し、上方に浮いた先端部分に前記ガイド筒を固定したことを特徴とする請求項１に記載の犬釘の打ち込み用冶具。
【考案の詳細な説明】
【技術分野】
【０００１】
本考案は、鉄道軌道を構成する枕木にレールを固定する犬釘の打ち込み用冶具に関する。
【背景技術】
【０００２】
鉄道軌道を構成する例えば木製の枕木に鉄道用レールを固定する手段として犬釘が使用されており、枕木の所定位置には犬釘の先端部を差し込むための穴部が予め形成されている。
【０００３】
枕木に犬釘を打ち込む装置として、長手方向に往復移動可能な打撃体を圧縮空気あるいは内燃機関などの動力源を用いて駆動し、該打撃体が飛び出る際の衝撃力で犬釘を打ち込む構成の犬釘打ち込み装置が提案されている。
【０００４】
このような犬釘の打ち込み装置において、犬釘の頭部はフック状に形成され、その上面は平坦ではなく傾斜面に形成され、しかも凸面に湾曲形成されていることから、犬釘打ち込み装置の打撃体が強い衝撃力で犬釘の頭部を打つと、打撃体が犬釘の頭部から滑り、犬釘を上手く打ち込むことができない。そこで、犬釘を確実に打ち込むために、種々の工夫がなされている。
【０００５】
このような工夫を行った犬釘の打ち込み装置としては、例えば圧縮空気を動力源とする打撃体駆動部を備えた筒状に形成された外部ケーシングと、該外部ケーシング内に軸方向移動可能に配置された打撃体と、該外部ケーシングの先端部に軸方向移動可能に内挿され、押出し用のコイルスプリングにより該外部ケーシングの先端部から突出するように付勢された筒状のガイド筒と、を有している。打撃体の先端は、外部ケーシングの先端よりも外方へ延びている（実開平４−１１５５８１号公報参照）。
【０００６】
このように構成した犬釘の打ち込み装置による犬釘の打ち込み作業は、先ず作業者が枕木に空けられている穴部に犬釘を上下方向に立てるように差し込み、次に犬釘打ち込み装置を手にとってガイド筒を犬釘の上から嵌め込む。犬釘を内挿するようにガイド筒を犬釘に嵌め込み、犬釘打ち込み装置の打撃体の先端面が犬釘の頭部に当接するのを確かめて犬釘打ち込み装置に対して打ち込み駆動の操作を行なうと、犬釘はガイド筒によりガイドされるため、犬釘の頭部を打撃体の先端が外れることなく叩くことが可能となる。
【０００７】
犬釘を打ち込むに従ってガイド筒の下端が枕木に当接し、さらに犬釘の打ち込みを続行すると、犬釘打ち込み装置が下方に下がるが、ガイド筒がコイルスプリングのばね力に抗して外部ケーシング内に入り込み、打ち込みが終了するまでガイド筒が犬釘をガイドできるようになっている。
【考案の開示】
【考案が解決しようとする課題】
【０００８】
犬釘の打ち込み装置は、打ち込み時間の短縮化のため、打撃体により犬釘に大きな衝撃力が繰り返し与えられ、打ち込み装置自体に大きな反動が加わる。このため、打ち込み装置が上下方向だけでなく、水平方向にも振られ、犬釘をガイドしているガイド筒も打ち込み装置と一体化しているために水平方向に振られる。ガイド筒が打ち込み装置と一体に水平方向に振られるとガイドしている犬釘をぐらつかせ、犬釘を真っ直ぐに打ち込むことができなくなるという問題が生じる。特に打ち込み装置の反動を抑えるには、打ち込み装置に対し下方向に力を加えつつ、水平方向へズレないように調整する操作が必要で、経験と体力を必要としていた。
【０００９】
本願考案の目的は、このような従来の問題に鑑みなされたもので、打ち込み装置の打撃体を確実に犬釘の頭部に打ち当てさせることができ、熟練した作業者でなくても短時間で確実に犬釘を枕木に打ち込むことができる犬釘の打ち込み用冶具を提供しようとするものである。
【課題を解決するための手段】
【００１０】
本考案の目的を実現する犬釘の打ち込み用冶具の第１の構成は、請求項１に記載のように、犬釘を打ち込み装置の打撃体により打撃して枕木に打ち込み、レールを該枕木に固定する際に用いられる犬釘の打ち込み用冶具であって、前記枕木に差し込まれた犬釘に嵌め込まれる筒状の金属製ガイド筒と、前記枕木の上面に載せられ、該枕木の長さ方向に延びる金属板からなり、前記ガイド筒を上下方向に起立させ姿勢で先端部が前記ガイド筒に固定された足押さえプレートと、を有し、前記ガイド筒は前記ガイド筒の下端が前記枕木の上面よりも上方に位置するように前記足押えプレートに固定されていることを特徴とする。
【００１１】
本考案の目的を実現する犬釘の打ち込み用冶具の第２の構成は、請求項２に記載のように、上記した第１の構成において、前記足押えプレートを側面略L字形状に形成し、該足押えプレートの上方に延びた部分に前記ガイド筒を固定したことを特徴とする。
【００１２】
本考案の目的を実現する犬釘の打ち込み用冶具の第３の構成は、請求項３に記載のように、上記した第１の構成において、前記足押えプレートを側面略クランク形状に形成し、上方に浮いた先端部分に前記ガイド筒を固定したことを特徴とする。
【考案の効果】
【００１３】
本考案によれば、作業者が冶具の足押えプレートを踏み付けて枕木上に押し付けた状態でガイド筒を犬釘に嵌め込んで使用するので、犬釘をガイドするガイド筒が犬釘の打ち込み装置とは一体的に連結されておらず、打ち込み装置の作動によりこの打ち込み装置自体は上下方向および水平方向にぶれてもガイド筒にはその影響が伝わらず、打ち込み装置の打撃体が犬釘の頭部から外れることなく確実に打撃する。このため、熟練した作業者でなくても短時間に犬釘を枕木に打ち込むことができる。
【考案を実施するための最良の形態】
【００１４】
第１の実施の形態
図１は本考案の第１の実施の形態を示す。
【００１５】
図１（ａ）は本実施の形態の犬釘の打ち込み用冶具、（ｂ）は使用状態を示す図、図３は犬釘の打ち込み装置の外観を示す図である。
【００１６】
図１（ａ）において、本実施の形態の犬釘打ち込み用の冶具（以下冶具と略す）１は、金属製の円筒状パイプからなるガイド筒２、あるいは金属製の角筒状パイプからなるガイド筒３の下端部に平板状の金属板で形成した側面略L字形状の足押えプレート４を溶接により固定している。以下、本実施の形態は円筒状パイプからなるガイド筒２を用いた場合を例にして説明する。
【００１７】
本実施の形態の足押えプレート４は、上下方向に延び、上端が円筒状パイプからなるガイド筒２の下端外周部に溶接される短脚部４ａと、短脚部４ａの下端に溶接或いは折り曲げられることにより、ガイド筒２の軸方向に対して直交する方向に延びる足押え部４ｂとにより構成されている。したがって、冶具１は、足押え部４ｂを基準とすると、足押えプレート４の短脚部４ａの高さだけガイド筒２を上方に持ち上げた構造となっている。
【００１８】
また、円筒状のガイド筒２は、犬釘の頭部の長径よりも少しだけ大きな内径を有し、犬釘に対して自由に嵌まり込むが、嵌まり込んだ犬釘に対して大きなガタつきが生じないようにしている。さらに、円筒状のガイド筒２は、枕木の穴部に犬釘を差し込んだだけの状態において、この犬釘にガイド筒２を嵌め込んだときに、犬釘の頭部がガイド筒２の上端よりも下側に位置する長さとし、犬釘の打ち込み装置の打撃体がガイド筒２内に十分入り込めるようにしている。
【００１９】
本実施の形態において、ガイド筒２は５０（ｍｍ）φのパイプ部材を用いて形成し、長さを２５０ｍｍとしている。また、足押え部４ｂは長さを３５０ｍｍとし、短脚部４ａおよび足押え部４ｂの幅をガイド筒２の外径と略同じ幅としている。
【００２０】
次に、図１（ｂ）を参照して冶具１を用いた犬釘の打ち込み作業方法を説明する。また、犬釘の打ち込みに使用する打ち込み装置の一例を図３に示す。
【００２１】
図３に示す打ち込み装置１０は、圧縮空気を用いた削岩機などのエアー式ブレーカを使用し、タガネの尖った先端を切断して平坦面としたものを打撃体１１として使用し、不図示のコンプレッサーとエアーホース１２を介して接続されている。装置本体の外装ケース１４に固定されたハンドル１３を作業者が握り、打撃体１１の先端を犬釘の頭部に押し当てて不図示の操作レバーを操作すると、圧縮空気により打撃体１１が往復動作を繰り返して行い、大きな衝撃力により犬釘を枕木に打ち込めるようになっている。
【００２２】
図１（ｂ）において、枕木６にレール７を載置した状態において、枕木６には犬釘５の打ち込み位置を決める差し込み穴６ａに犬釘５を差し込む。次に、冶具１を手に持ってガイド筒２を犬釘５に嵌めこむ。その際、冶具１の足押えプレート部４ｂがレール７とは反対側に延びるように枕木６の上面に載せる。その際、ガイド筒２が上方に持ち上げられているので、レール７の底部７ａとの干渉が避けられ、ガイド筒２を所定位置に位置させることができるようになっている。
【００２３】
冶具１のガイド筒２を犬釘５に嵌めこむと、作業者は枕木６の上面に載っている足押えプレート部４ｂを足で踏むことで冶具１をぐらつくことなく安定して保持する。そして作業者が打ち込み装置１０を手に持って打撃体１１をガイド筒２に上方から差し込み、打撃体１１の先端をガイド筒２内の犬釘５の頭部に当て、作業者が打ち込み装置１０を作動させる。
【００２４】
打ち込み装置１０の作動により、打ち込み装置１０は前述のように上下方向だけでなく、水平方向にも振られるが、冶具１が打ち込み装置１０とは別の部材であって連結されていないので、冶具１が打ち込み装置１０と一体になって振られることがない。このため、犬釘５がガイド筒２によって振られず、ガイド筒２にガイドされて枕木６に打ち込まれる。その際、犬釘５の頭部の周囲はガイド筒２によってガードされているため、打撃体１１の先端が犬釘５の頭部から外れることも防止される。
【００２５】
このように、枕木に犬釘を打ち込み装置を用いて打ち込む際、本実施の形態の冶具を使用すると、熟練を要した作業者でなくても犬釘を短時間に簡単且つ失敗無く打ち込むことができた。
【００２６】
第２の実施の形態
図２は本考案の第２の実施の形態を示す。図２（ａ）は本実施の形態の犬釘の打ち込み用冶具、（ｂ）は使用状態を示す図である。
【００２７】
本実施の形態による冶具８は、筒状に形成されたガイド筒２に平板状の足押えプレート９を溶接により固定し、全体的に側面略L字形状とした構成としている。図１に示す第１の実施の形態と異なる点は、足押えプレート９には短脚部を設けず、長さ方向の途中に傾斜部９ａを設けるように２点で折り曲げ、折り曲げ先端部９ｂの先端にガイド筒２を溶接している。この傾斜部９ａの高さ分だけガイド筒２を上方に持ち上げたことにより、図２（ｂ）に示すように、第１の実施の形態と同様に、冶具８を枕木６の所定位置に載せた状態で、レール７の底部７ａと干渉しないようにしている。
【００２８】
また、レール７と枕木６との間にタイプレート（不図示）を配設する場合、このタイプレートの厚みがガイド筒２および足押えプレート９と干渉するため、傾斜部９ａを設けることにより足押えプレート９の先端部を浮かし、タイプレートとの干渉を避けるようにしている。
【００２９】
なお、犬釘５の打ち込み作業の手順は第１の実施の形態の冶具１を用いた場合と同様であるため、その説明は省略する。
【００３０】
また、本実施の形態では足押えプレート９の先端部を上方に浮かせるために、足押えプレート９の長さ方向の途中に傾斜部９ａを設けてクランク形状としているが、直角クランク形状としても良い。
【００３１】
第３の実施の形態
なお、上記した各実施の形態において、ガイド筒２として円筒状のものを例にして説明したが、第２の実施の形態において、第１の実施の形態に示す角筒状のものを使用してもよく、また、楕円状のもの、三角形あるいは犬釘の頭部の先端部をガイドするスリットをガイド筒の上下方向に形成した一部切欠形状のものであっても良い。
【図面の簡単な説明】
【００３２】
【図１】第１の実施の形態の犬釘の打ち込み用冶具、（ｂ）は使用状態を示す図。
【図２】第２の実施の形態の犬釘の打ち込み用冶具、（ｂ）は使用状態を示す図。
【図３】犬釘の打ち込み装置の外観を示す図。
【符号の説明】
【００３３】
１、８  犬釘打ち込み用の冶具
２、３  ガイド筒
４、９  足押えプレート
５  犬釘
６  枕木
７  レール
１０  打ち込み装置
１１  打撃体
【図１】
0003113814.tif 000003
【図２】
0003113814.tif 000004
【図３】
0003113814.tif 000005